(57)【特許請求の範囲】
【請求項１】
同一構造を有する隣り合う壁パネルと継合され得る壁パネルであって、
金属製の一方の表面板と金属製の他方の表面板との間に耐熱性または難燃性ないしは不燃性を有する芯材を介在させてなるパネル本体と、
前記パネル本体の幅方向の一端に装備されたパネル継合用部材とを備え、
前記パネル本体の幅方向の一端では、前記一方の表面板と前記他方の表面板とが接触しないように離されているとともに、前記芯材を凹ませてなる一端凹入部がこれらの表面板の間に配置され、耐熱性または難燃性ないしは不燃性を有する前記パネル継合用部材が前記一端凹入部に挿入された状態で前記芯材に突設され、
前記パネル本体の幅方向の他端では、前記一方の表面板と前記他方の表面板とが接触しないように離されているとともに、前記芯材を凹ませてなる他端凹入部がこれらの表面板の間に配置され、
前記他方の表面板には、前記芯材に突設されている前記パネル継合用部材の側面の一部に沿う側面延長部と、前記側面延長部から延びた状態で前記パネル継合用部材の先端面に沿うように廻り込む先端延長部とよりなる、前記パネル継合用部材の前記芯材に対する抜け止め作用を生じさせるための抜止め部が形成され、
前記他端凹入部が、前記隣り合う壁パネルとの継合のために前記隣り合う壁パネルのパネル継合用部材及び抜止め部を挿入可能に形成されている壁パネル。
【請求項２】
前記パネル継合用部材は、前記芯材の一端凹入部に挿入されている挿入方向長さが、前記芯材の一端凹入部から突出している突出方向長さ以上となるように設定されている請求項１に記載の壁パネル。
【請求項３】
前記パネル継合用部材を、前記先端延長部の先端部と前記芯材との間を通して前記一端凹入部に挿入可能となる状態に、前記先端延長部の前記側面延長部からの延ばし長さが設定されている請求項１又は２に記載の壁パネル。
【請求項４】
前記芯材がロックウールよりなる請求項１〜３の何れか一項に記載の壁パネル。
【請求項５】
請求項１〜４の何れか一項に記載の壁パネルを複数用いる壁パネルの継合構造であって、
複数の前記壁パネルのうち、互いに隣り合う一方の壁パネル及び他方の壁パネルが、前記一方の壁パネルにおけるパネル継合用部材及び抜止め部を前記他方の壁パネルにおける芯材の他端凹入部に挿入した状態で継合されている壁パネルの継合構造。
【発明の詳細な説明】
【技術分野】
【０００１】
本発明は、建築物の外壁材や内壁材などに用いられる耐火構造の壁パネル、及び、壁パネルの側端どうしの継合構造を改良したものである。
【背景技術】
【０００２】
この種の壁パネルの継合構造、即ち、各壁パネルが、金属製の一方の表面板と金属製の他方の表面板との間に耐熱性または難燃性ないしは不燃性を有する芯材を介在させて構成されており、各壁パネルのうちの隣り合う壁パネルどうしを継合いさせる継ぎ合い構造としては、特許文献１にて開示されたものが知られている。
【０００３】
特許文献１が示す壁パネルは、表面板（４）と裏面板（５）との間に、耐熱性または難燃性ないしは不燃性を有する芯材（６）を介在させたサンドイッチ状の断面構造を有している。表面板（４）及び裏面板（５）は金属板で、そして、芯材（６）は発泡樹脂材でそれぞれ形成されている。
壁パネル（１）の幅方向一側端には、パネル厚方向に所定間隔をおいて相対向する内外の第１凸条（７）、第２凸条（８）をパネル長手方向に沿って設けて、これら両者（７），（８）の間に凹溝（１０）が形成されている。加えて、第２凸条（８）の外表面側には凹欠部（９）が設けられている。
【０００４】
一方、壁パネル（１）の幅方向他側端には、凹欠部（９）に嵌合し得るとともに第２凸条（８）の外側を覆い得る形の第３凸条（１３）と、第２凸条（８）の先端部が嵌合し得る形の嵌合溝（１４）と、凹溝（１０）と対称位置にあって、かつ、凹溝（１０）と略同形状の凹溝（１５）と、第１凸条（７）と対称位置にあって、かつ、凸条（７）と略同形状の第４凸条（１６）とが、外側から内側へ順に形成されている。
【０００５】
このような構造の壁パネル（１）では、特許文献１の図１にて示されるように、断面が矩形形状の耐火性ボード（２０）を、一方の壁パネル１の凹溝（１０）と他方の壁パネル（１）の凹溝（１５）とに跨って嵌合することにより、隣り合う壁パネル（１），（１）どうしを互いに位置定め状態で継合せる継合構造を採っている。
つまり、隣り合う壁パネル（１），（１）の凹溝（１０），（１５）どうしに跨って嵌る耐火性ボード（２０）を設ける工夫により、耐火構造を維持しながら、かつ、位置ずれすることなく隣り合う壁パネル（１），（１）どうしを継合せることができる優れものである。
【先行技術文献】
【特許文献】
【０００６】
【特許文献１】特開平０９−２３５８５４号公報
【発明の概要】
【発明が解決しようとする課題】
【０００７】
特許文献１の構造による壁パネルの継合構造では、前述の継合せ作業、即ち、パネル継合用部材である耐火性ボード（２０）を現場にて嵌合させて組み付けるものであるため、壁パネル（１）とは別に耐火性ボード（２０）も部品として現場に搬入させる必要がある。
また、現場作業であるため、耐火性ボード（２０）を入れ忘れるおそれがあった。この場合、隣り合う壁パネルのうちの一方の壁パネル（１）の嵌合溝（１４）と、他方の壁パネル（１）の第２凸条（８）とが凹凸嵌合するので、隣り合う壁パネル（１），（１）どうしが不安定ながらも位置定めされるため、耐火性ボード（２０）の入れ忘れに気付き難い、という問題も考えられる。
【０００８】
以上のように、従来の壁パネルの継合構造では、パネル継合用部材も部品として現場搬入が必要となる煩わしさがあるとともに、パネル継合用部材の組み付け忘れを皆無にはできないものであり、これら各点において改善の余地が残されているものであった。
【０００９】
本発明の目的は、上述した実情に鑑みてさらに創意工夫することにより、パネル継合用部材の組付け忘れがなく、また部品としての搬入も不要となるようにして、現場での作業性及び品質の向上、並びに作業コストの点でも有利となるように改善された壁パネル及び壁パネルの継合構造を提供する点にある。
【課題を解決するための手段】
【００１０】
請求項１に係る発明は、
同一構造を有する隣り合う壁パネルと継合され得る壁パネル１であり、
金属製の一方の表面板２と金属製の他方の表面板３との間に耐熱性または難燃性ないしは不燃性を有する芯材４を介在させてなるパネル本体５と、
前記パネル本体の幅方向の一端に装備されたパネル継合用部材６とを備え、
前記パネル本体５の幅方向の一端では、前記一方の表面板２と前記他方の表面板３とが接触しないように離されているとともに、前記芯材４を凹ませてなる一端凹入部７がこれらの表面板２，３の間に配置され、耐熱性または難燃性ないしは不燃性を有する前記パネル継合用部材６が前記一端凹入部７に挿入された状態で前記芯材４に突設され、
前記パネル本体５の幅方向の他端では、前記一方の表面板２と前記他方の表面板３とが接触しないように離されているとともに、前記芯材４を凹ませてなる他端凹入部１２がこれらの表面板２，３の間に配置され、
前記他方の表面板３には、前記芯材４に突設されている前記パネル継合用部材６の側面６ａの一部に沿う側面延長部３Ｂと、前記側面延長部３Ｂから延びた状態で前記パネル継合用部材６の先端面６ｂに沿うように廻り込む先端延長部３Ｃとよりなる、前記パネル継合用部材６の前記芯材４に対する抜け止め作用を生じさせるための抜止め部２２が形成され、
前記他端凹入部１２が、前記隣り合う壁パネルとの継合のため、前記隣り合う壁パネルにおけるパネル継合用部材及び抜止め部を挿入可能に形成されていることを特徴とする。
【００１１】
請求項２に係る発明は、請求項１に記載の壁パネルにおいて、
前記パネル継合用部材６は、前記芯材４の一端凹入部７に挿入されている挿入方向長さｂが、前記芯材４の一端凹入部７から突出している突出方向長さａ以上（ｂ≧ａ）となるように設定されていることを特徴とする。
【００１２】
請求項３に係る発明は、請求項１又は２に記載の壁パネルにおいて、
前記パネル継合用部材６を、前記先端延長部３Ｃの先端部と前記芯材４との間を通して前記一端凹入部７に挿入可能となる状態に、前記先端延長部３Ｃの前記側面延長部３Ｂからの延ばし長さが設定されていることを特徴とする。
【００１３】
請求項４に係る発明は、請求項１〜３の何れか一項に記載の壁パネルにおいて、
前記芯材４がロックウールよりなることを特徴とする。
【００１４】
請求項５に係る発明は、請求項１〜４の何れか一項に記載の壁パネル１を複数用いる壁パネル１の継合構造であって、
複数の前記壁パネル１のうち、互いに隣り合う一方の壁パネル１及び他方の壁パネル１が、前記一方の壁パネル１におけるパネル継合用部材６及び抜止め部２２を前記他方の壁パネル１における芯材４の他端凹入部１２に挿入した状態で継合されていることを特徴とする。
【発明の効果】
【００１５】
請求項１の発明によれば、壁パネルの幅方向の一端に形成される一端凹入部に挿入されて突設するパネル継合用部材を設けるとともに、他方の表面板には、芯材に突設されているパネル継合用部材の側面に沿う側面延長部と、側面延長部から延びてパネル継合用部材の先端面に沿うように廻り込む先端延長部とよりなる抜止め部が形成されているから、部材突出部の他方の表面板側の側面、及び先端面とが他方の表面板でガードされる構成となっている。
従って、抜止め部の存在により、壁パネルの運搬中や現場施工時においてパネル継合用部材が他物と衝突しないように保護される作用が生じるとともに、パネル継合用部材が変形や損傷しないように補強する作用も生じる。加えて、抜止め部は先端延長部を有しているので、パネル継合用部材の芯材に対する抜け止め作用も生じるようになる。
【００１６】
そして、パネル継合用部材は、工場などの壁パネルの生産ラインにおいて、一端凹入部を用いてパネル本体の芯材に予め装着させておくことができるから、パネル本体の搬入作業とは別にパネル継合用部材を現場に搬入させる作業、及び、施工現場にてパネル継合用部材をパネル本体に予備組付けする作業、という従来では必要であった各作業を省略することができ、その分の作業効率の改善、及びコストダウンが可能になる。また、パネル継合用部材の組付け忘れを解消させることも可能になる。
加えて、各壁パネルにおける芯材及びパネル継合用部材は、共に耐熱性または難燃性ないしは不燃性を有しており、壁パネル及びその継合構造は十分な耐火性を備えている。
その結果、さらなる創意工夫により、パネル継合用部材の組付け忘れがなく、また部品としての搬入も不要となるようにして、現場での作業性及び品質の向上、並びに作業コストの点でも有利となるように改善された壁パネルを提供することができる。
【００１７】
請求項２の発明によれば、パネル継合用部材は、芯材に挿入される部分の挿入方向長さが、芯材からの突出方向長さよりも大としてあるから、よりしっかりとパネル継合用部材を芯材で支持することが可能であり、請求項１の発明による前記効果をより一層安定して発揮できる利点がある。
【００１８】
請求項３の発明によれば、先端延長部の延ばし長さを適宜に設定することにより、先端延長部の先端部と前記芯材との間を通してパネル継合用部材を一端凹入部に挿入できるので、抜止め部の存在による効果（パネル継合用部材に対する保護効果、補強効果、抜止め効果）を得ながらも、簡単で生産性良くパネル継合用部材を一端凹入部に装着できる利点がある。
【００１９】
そして、請求項４のように、芯材をロックウール製として、より耐火性能を向上させるようにすれば好都合である。
【図面の簡単な説明】
【００２０】
【図１】壁パネルの構造を示す縦断断面図である。
【図２】図１の壁パネルの継合構造を示す要部の縦断断面図である。
【図３】パネル継合用部材のパネル本体への装着方法を示し、（ａ）は裏接着塗布の作用図であり、（ｂ）は工程裏接着工程の作用図である。
【図４】パネル継合用部材の壁パネルへの装着方法を示し、（ａ）は装填工程の作用図であり、（ｂ）は装着が完了した状態の図である。
【図５】パネル継合用部材が装着される前のパネル本体を示す要部の断面図である。
【発明を実施するための形態】
【００２１】
以下に、本発明による壁パネルの実施の形態を、図面を参照しながら説明する。まず、壁パネルの構造について説明する。
【００２２】
図１に、本発明による壁パネル１を示している。この壁パネル１は、パネル本体５と、このパネル本体５の一端部に装備されるパネル継合用部材６とにより構成されている。パネル本体５は、金属板製の表面材（「一方の表面板」の一例）２と、金属板製の裏面材（「他方の表面板」の一例）３との間に、ロックウールでなる芯材（「耐熱性または難燃性ないし不燃性を有する芯材」の一例）４を介在させることで構成されている。
なお、芯材４の他の例としては、グラスウール，セラミックファイバー，カーボンウール等が挙げられる。
【００２３】
表面材２及び裏面材３は、例えば、塗装溶融５５％アルミニウム−亜鉛合金めっき鋼板による金属板を板金加工して作製される。芯材４を形成するロックウールとしては、例えば、密度１００〜３００（単位：キログラム／立方メートル）のものが用いられる。また、断面形状が矩形を呈するパネル継合用部材６は、耐熱性または難燃性ないし不燃性を有する材料の一例であるケイ酸カルシウム板により形成される耐火性ボードである。なお、「耐火性」は、「耐熱性または難燃性ないし不燃性」の範疇に入るものとする。
【００２４】
図１，図５に示すように、壁パネル１の上端部（「幅方向の一端」の一例）には、パネル厚み方向で若干裏面材３に寄った箇所に、芯材４を断面形状が矩形を呈する状態に凹ませてなる一端凹入部７が形成されている。
裏面材３は、芯材４の上端面４ａに沿って回り込む上端部３Ａ、一端凹入部７の裏側の側面７ｂと面一となる内面３ｂを有して上端部３Ａに続く縦向きの側面延長部３Ｂ、及び、側面延長部３Ｂの先端に続いて横方向（水平方向）に延びる先端延長部３Ｃを有している。上端部３Ａの外面側には、ＥＰＤＭなどでなるパッキン（防水パッキン）８が設けられている。
【００２５】
そして、図１に示すように、パネル継合用部材６が、先端延長部３Ｃの内面３ｃと側面延長部３Ｂの内面３ｂとに沿って接する密嵌合状態で、一端凹入部７に挿入されて突設されている。つまり、裏面材３には、芯材４に突設されているパネル継合用部材６の側面６ａに沿う側面延長部３Ｂと、側面延長部３Ｂから延びてパネル継合用部材６の先端面６ｂに沿うように廻り込む先端延長部３Ｃとよりなる抜止め部２２が形成されている。
【００２６】
パネル継合用部材６における芯材に挿入されている部分、即ち、一端凹入部７に挿入されて支持されている部分である部材支持部６Ｂの挿入方向長さｂは、パネル継合用部材６における芯材４から突出している部分である部材突出部６Ａの突出方向長さａ以上となる（ｂ≧ａ）ように設定されている。
また、パネル継合用部材６の厚みをｃとしたとき、突出方向長さａと挿入方向長さｂと厚みｃとにはｂ＞ｃ＞ａなる関係に設定されているが、これには限らない。なお、一端凹入部７と側面延長部３Ｂとにより、パネル継合用部材６を入れ込んで装着するためのスペースである収容部１８が形成されている。
【００２７】
図１，図５に示すように、芯材４の上端部には、表面を裏側に後退させて厚みを薄くすることにより、水平面である中間上面４ｂと縦面である段落ち側面４ｃとが形成されている。中間上面４ｂの高さレベルは、例えば、一端凹入部７の底面７ｃの高さレベルと同じに設定される。
表面材２の上端側には、段落ち側面４ｃの表側（前側）に位置してパネル厚み方向で内側に若干寄った凹欠部９、凹欠部９よりさらに内側に寄って段落ち側面４ｃに接して沿う段落ち部１０、及び、段落ち部１０から上方に延出されて芯材４の上端面４ａよりも上方突出する凸条部１１が形成されている。
凸条部１１は、先端が丸められた下向き開放Ｕ字形状に形成されており、その上方突出高さは側面延長部３Ｂよりも低い。なお、表面材２の上端側の先端は、芯材４の上端面４ａに沿う横向きの上端部２Ａに形成されている。
【００２８】
図１，図２に示すように、壁パネル１の下端部（「幅方向の他端部」の一例）には、芯材４を凹ませてなる他端凹入部１２が形成されている。この他端凹入部１２の大きさ及び形状は、側面延長部３Ｂ及び先端延長部３Ｃを有する部材突出部６Ａと同じ大きさ及び同じ形状の構造物が、他端凹入部１２に嵌合（嵌入）状態で挿入可能に設定されている。他端凹入部１２は、パネル厚み方向で若干裏面材３に寄っており、断面形状が矩形を呈するものとして設けられている。
【００２９】
芯材４の下端面４ｇは、他端凹入部１２の表側及び裏側の双方に形成されており、表側の下端面４ｇの他端凹入部１２側には若干下方に突出した部分突出部４ｄが形成されている。他端凹入部１２の表側の側面１２ａの前後方向（表裏方向）の位置と、一端凹入部７の表側の側面７ａの前後方向（表裏方向）の位置とは互いに同じ位置となるように設定されている。
また、芯材４は、その表側の下端が若干切欠かれた形状に形成されており、下端面４ｇよりも内方（上方）に寄った位置となる表側下端面４ｅと、表側下端面４ｅの裏側端と下端面４ｇの表側端とを繋ぐ垂直面４ｆとが形成されている。
【００３０】
裏面材３の下端は、芯材４における他端凹入部１２の裏側の下端面４ｇに沿う状態に曲げられて回り込む横向きの下端部３Ｄに形成されている。
表面材２の下端は、表側下端面４ｅから大きく下方に突出され、かつ、下端で折り曲げられてなる下方凸条１３と、下端側の先端であって表側の下端面４ｇに沿う下端部２Ｂとを有している。加えて、これら下方凸条１３と下端部２Ｂとの間に、表側下端面４ｅに沿う頂上壁（符記省略）を有してなる上向きに凹入した嵌合溝１４が形成されている。
嵌合溝１４の上端には、ＥＰＤＭなどでなるパッキン（防水パッキン）１５が設けられている。
【００３１】
次に、壁パネル１の継合構造について説明する。
各壁パネル１は、図２に示すように、隣り合う壁パネル１，１どうしのうちの下側の壁パネル（「一方の壁パネル」の一例）１のパネル継合用部材６を、上側の壁パネル（「他方の壁パネル」の一例）の他端凹入部１２に挿入して嵌合させることにより、隣り合う壁パネルどうしを位置定め状態で継合せることができるように構成されている。
詳しくは、上側の壁パネル１の他端凹入部１２と、下側の壁パネル１の抜止め部２２で抜止めされている状態のパネル継合用部材６とを互いに嵌め入れて嵌合させることにより、上側の壁パネル１を下側の壁パネル１の上に載置する載せ付け操作を行う。
この載せ付け操作を行うことにより、上下の各表面材２どうし及び上下の裏面材３どうしが面一となる位置定め状態で、上下に隣り合う壁パネル１，１どうしを継ぎ合せることができる。
【００３２】
前述の継合せ状態においては、図２に示す継合構造が提供されている。下側の壁パネル１の先端延長部３Ｃが上側の壁パネル１の他端凹入部１２の奥壁（上端壁）１２ｂと接する状態で、下側の壁パネル１の部材突出部６Ａと上側の壁パネル１の他端凹入部１２とが嵌合されている。
下側の壁パネル１の上端部３Ａと上側の壁パネル１の下端部３Ｄとが、上側の壁パネル１の重みにより圧縮されたパッキン８を介してのシール状態で対峙している。下側の壁パネル１の凸条部１１が、上側の壁パネル１の嵌合溝１４に嵌り込んでおり、これら両者１１，１４は、上側の壁パネル１の重みにより圧縮されたパッキン１５を介してのシール状態で対峙している。下側の壁パネル１の上端面４ａにおけるパネル継合用部材６の表側部分は、上側の壁パネル１の部分突出部４ｄに接触又は圧接されている。
上側の壁パネル１の下方凸条１３は、下側の壁パネル１の段落ち部１０の表側に位置しており、その下方凸条１３の下端は凹欠部９の表側にまで達している。
【００３３】
図２に示すように、上下方向で凹欠部９に達する下方凸条１３は、下側の壁パネル１の凹欠部９の上端部より上側の部分を覆って見えなくするカバーの役割を為している。下側の壁パネル１を建物躯体や下地材などの取付対象２１に固定すべく、下側の壁パネル１の上端部を表裏に貫く取付ビスなどの止具１９の頭部分１９ａも、上側の壁パネル１の下方凸条１３で覆われている。この下方凸条１３で覆い隠す構造の採用により、防錆、および外観的仕上がりが良好なものとされている。
壁パネル１を取付対象２１に対し固定する止具１９は、表裏の面材２，３、芯材４、及びパネル継合用部材６を貫通しているので、その止具１９によって、パネル本体５とパネル継合用部材６との結合状態をより強固なものとすることができている。
なお、段落ち部１０には、止具１９の打ち込み作業が正確に、かつ、容易に行えるように、止具１９の打ち込み位置を示す溝２０が予め設けられている。
【００３４】
図２に示す継合せ状態では、表側のパッキン１５と裏側のパッキン８とが共に圧縮されており、上下の壁パネル１，１どうしの間には、内外２箇所にてシールされる密封機構が形成されている。
また、凹欠部９と下方凸条１３との間に所定幅の表目地１６が形成されるとともに、下側の壁パネル１の上端部３Ａと上側の壁パネル１の下端部３Ｄとの間には裏目地１７が形成されている。
【００３５】
次に、壁パネル１の製造方法について、特に、パネル本体５にパネル継合用部材６を装着する方法について説明する。
まず、図３（ａ）に示すように、裏面材３の内側面３Ｅに接着剤を塗布する裏接着剤塗布工程を行う。次に、図３（ｂ）に示すように、相対的に芯材４を裏面材３の内側面３Ｅに押し付けて接着（貼着）させる裏接着工程を行う。この裏接着工程を行うことにより、裏面材３と芯材４とでなる収容部１８が形成される。
【００３６】
それから、表面材２の内側面２Ｃに接着剤を塗布する表接着剤塗布工程、及び、相対的に芯材４を表面材２の内側面２Ｃに接着（貼着）させる表接着工程を行った後に、図４（ａ）に示すように、パネル継合用部材６を収容部１８に入れ込む装填工程を行う。
この場合、パネル継合用部材６を、先端延長部３Ｃの先端部と芯材４との間隔を通過させて一端凹入部７に挿入可能となる状態に、先端延長部３Ｃの側面延長部３Ｂからの延ばし長さが設定されている。
詳しくは、図３（ｂ）や図５に示すように、芯材４の一端凹入部７の表側における上端面４ａの裏側端である角箇所ｄと、先端延長部３Ｃの先端内側の角箇所ｅとの間が、収容部１８の（一端凹入部７の）挿入口２３に形成されている。挿入口２３の間隔は、パネル継合用部材６の挿入が可能となる間隔が挿入口２３に確保されるように、つまり、パネル継合用部材６の厚みと同等程度又は僅かに大きくなるように、先端延長部３Ｃの側面延長部３Ｂからの延ばし長さが設定されている。
【００３７】
装填工程においては、パネル継合用部材６を前記挿入口２３から捻りながら収容部１８に押し入れて挿入する。パネル継合用部材６を収容部１８に入れ込む挿入操作の際には、先端延長部３Ｃや側面延長部３Ｂを若干撓ませることや、芯材４における一端凹入部７に臨む部分を変形或いは変位させることもあり得る。
前記挿入操作の際に撓んだ裏面材３や、変形又は変位した芯材４は、経時に伴い、それら裏面材３や芯材４が有する復元力や弾性によって元の形状にほぼ戻ることとなり、従って、図１や図４（ｂ）に示すように、パネル継合用部材６を隙間無く収容部１８に嵌入させて装着させることが可能である。
なお、この装填工程において、裏面材３や芯材４の収容部１８を形成する各部分、或いはパネル継合用部材６に接着剤を塗布しておき、より強固にパネル継合用部材６を裏面材３や芯材４と一体化させる工程（又は手段）を追加しても良い。
【００３８】
図１、図４（ｂ）に示すように、パネル本体５にパネル継合用部材６を設けて壁パネル１とする作業は、壁パネルの施工現場ではなく、工場などの壁パネルの生産ライン（製作場所）において行えるから、施工現場には壁パネル１を搬入すれば良い。
従って、パネル本体５とは別にパネル継合用部材６を現場に搬入させる作業、及び、施工現場にてパネル継合用部材６をパネル本体５に予備組付けする作業、という従来では必要であった各作業を省略することができ、その分の作業効率の改善、及びコストダウンが可能である。
また、パネル継合用部材６は生産ラインにて組み付けられているから、施工現場での組付け忘れという不都合が起こり得ず、従って、従来では起こり得ていたパネル継合用部材６の組付け忘れの解消が可能であり、壁パネル１及び壁パネルの継合構造としての品質向上に寄与できるものとなっている。
【００３９】
そして、パネル継合用部材６は、裏面材３や芯材４との隙間が無い状態でぴったりと収容部１８に嵌入されており、しかも、先端延長部３Ｃや側面延長部３Ｂの存在により、運搬中や現場施工時における他物との衝突などに対するパネル継合用部材６の保護作用が期待できる。そして、抜止め部２２の存在により、パネル継合用部材６の一端凹入部７からの抜け止めも行える良さがあるとともに、部材突出部６Ａの補強効果もある。
加えて、ロックウールでなる芯材４には衝撃吸収作用があるから、運搬中などにおいてパネル継合用部材６が他物と接触した場合には、その支持部である芯材４の衝撃吸収作用により、パネル継合用部材６の損傷や破損が防止される利点もある。
【００４０】
また、本実施形態による壁パネル１では、次の１．〜５．にて述べる特徴を有している。
１．裏面材３による１枚の金属板により、耐火性を有する芯材４及び耐火性を有するパネル継合用部材６を固定することができる形状である。
２．裏面材３どうしの継合せ部である裏目地１７にパッキン８が設けられているので、水密性や気密性が向上しており、クリーンルームの壁材として用いることが可能である。
３．芯材４を、従来の発泡性の断熱材からロックウールに変更したので、耐火性がより向上するものとなっている。
【００４１】
４．壁パネル１の構造上、表面材２と裏面材３との接触や連結が無いので、ヒートブリッジが形成されない、という利点がある。また、ロックウールによる芯材４に加えて、耐火性ボードでパネル継合用部材６を構成してある。このように耐火性ボード（パネル継合用部材６）を芯材４の前後（表裏）の中間に設けてあるので、表面材２が加熱された際には裏面材３が、裏面材３が加熱された際には表面材２がそれぞれ長時間に亘って低温を保てる、という断熱性により優れる利点がある。
５．生産ラインにてパネル継合用部材６をパネル本体５に組み付けるので、芯材４（ロックウール）と裏面材３（鋼板）とで囲む状態にしっかりとパネル継合用部材６をパネル本体５に固定でき、従って、耐火性能を安定的に発揮できて優れた品質の保持が可能である。
【００４２】
〔別実施形態〕
壁パネルの継合構造に用いる壁パネルとしては、下記（１）〜（４）に記載の構成を持つものでも良い。
（１）芯材（ロックウール）の密度を高くして、耐火性能を維持したままパネル厚さを薄くした壁パネル。
（２）芯材（ロックウール）の密度を低くして、必要となる耐火性能は確保しつつ、コストダウンを可能とした壁パネル。
（３）芯材（ロックウール）の密度を、嵌合部（一端凹入部７、他端凹入部１２）のみ高くした壁パネル。例えば、四角形断面のブロック材に形成されているロックウールを敷き詰めることで芯材を構成し、嵌合部及びその近傍には、密度の高いブロック材を配置する、という手段を採ることが可能である。
（４）芯材（ロックウール）の密度を、本実施形態に比べて両端部（嵌合部）では高く（硬く）、中間部では低く（柔かく）して、パネル継合用部材の支持を含む継合部の強度を十分取りながら、全体としてはコストダウンが図られている壁パネル。
【００４３】
〔その他の別実施形態〕
パネル継合用部材６を用いて隣り合う壁パネル１どうしを位置定め状態で継合せる継合構造は、例えば、各壁パネル１が左右などの横方向（水平方向）で隣り合う場合でも採用可能である。
また、前記両角箇所ｄ，ｅの間隔を、パネル継合用部材６の厚みより若干広くして、裏面材３を撓ませることなく、及び／又は、一端凹入部７を若干大きめにして芯材４を変形や変位させることなくパネル継合用部材６を収容部１８（一端凹入部７）に挿入できるようにする手段を採ることも可能である。
【００４４】
図１などにて示される壁パネル１では、部材支持部６Ｂの挿入方向長さｂと、部材突出部６Ａの突出方向長さａとの比であるｂ：ａは、おおよそ２：１に設定されているが、３：１や５：４など、２：１以外の比に設定しても良い。
【符号の説明】
【００４５】
１          壁パネル
２          一方の表面板
３          他方の表面板
３Ｂ        側面延長部
３Ｃ        先端延長部
４          芯材
５          パネル本体
６          パネル継合用部材
６ａ        側面
６ｂ        先端面
７          一端凹入部
１２        他端凹入部
２２        抜止め部
ａ          突出方向長さ
ｂ          挿入方向長さ
【図１】
0005897070.tif 000002
【図２】
0005897070.tif 000003
【図３】
0005897070.tif 000004
【図４】
0005897070.tif 000005
【図５】
0005897070.tif 000006